(57)【要約】【課題】レンズ間に挿脱される絞り切替板の性能を向上する。【解決手段】絞り切替機構を有するレンズ付きフイルムユニットの撮影レンズは２枚構成となっている。これらレンズ間に馬蹄形のスペーサ３８を介在させ、スペーサー３８に一段凹んだ凹面３８ａを形成して絞り切替板４８を凹部３８ａに挿脱させる。これにより、挿脱時に絞り切替板４８がレンズに当たらず、また、絞り切替板４８の光軸方向への振れを防止することができる。【選択図】　　　　図６
2004054037.tif 000002
【特許請求の範囲】
【請求項１】
複数のレンズで構成される撮影レンズと固定な開放絞り開口とを撮影光軸上に配し、前記複数のレンズのうちの隣り合う２枚のレンズ間に、前記開放絞り開口よりも小径な小絞り開口が設けられた絞り切替板を撮影光軸と垂直な面内で挿脱して絞り切替を行う絞り切替装置において、
前記２枚のレンズ間に、前記開放絞り開口と同じか又はそれよりも大きい開口をもつ略馬蹄形のスペーサと、前記開放絞り開口を形成した絞り板とを配して前記スペーサと絞り板との厚みで前記レンズ間隔を一定に保つとともに、前記スペーサに一段凹んだ凹部を形成して前記凹部を前記絞り切替板が出入りすることを特徴とする絞り切替装置。
【請求項２】
複数のレンズで構成される撮影レンズと固定な開放絞り開口とを撮影光軸上に配し、前記複数のレンズのうちの隣り合う２枚のレンズ間に、前記開放絞り開口よりも小径な小絞り開口が設けられた絞り切替板を撮影光軸と垂直な面内で挿脱して絞り切替を行う絞り切替装置において、
前記２枚のレンズ間に、前記開放絞り開口を形成したスペーサを配して前記スペーサの厚みで前記レンズ間隔を一定に保つとともに、撮影光軸を中心とする周方向の一部を開放した凹部を前記スペーサに形成して前記凹部を前記絞り切替板が出入りすることを特徴とする絞り切替装置。
【発明の詳細な説明】
【０００１】
【発明の属する技術分野】
本発明は、写真用カメラ、電子スチルカメラ、及びレンズ付きフイルムユニットなどに用いられる絞り切替装置に関し、さらに詳しくは、撮影レンズを構成する複数のレンズうちの隣り合うレンズ間に、固定な開放絞り開口よりも小径の絞り開口をもつ小絞り板を挿入して絞りを切り替える絞り切替装置に関するものである。
【０００２】
【従来の技術】
写真フイルムを工場で予め装填したレンズ付きフイルムユニットが知られている。このレンズ付きフイルムユニットでは、単玉の撮影レンズ、固定絞り、蹴飛ばし式のシャッタ機構、巻上げノブ、及びフイルム巻き止め機構などのメカ機構しか備えておらず、徹底した低コスト化が図られている。
【０００３】
しかし、様々な撮影条件下において高画質な撮影を行いたい、というユーザーの要求に答えるために、撮影レンズの背後の撮影光軸上に小絞り板を挿脱して露出を切り替える絞り切替機構を内蔵したレンズ付きフイルムユニットが特開２００１−１３３８３２号公報や特開２００１−２１９４０号公報などに提案されている。
【０００４】
前者公報記載のレンズ付きフイルムユニットでは、シャッタレリーズに応答して自動的に測光を行う測光機構を内蔵し、測光機構で測光した被写体輝度に応じてシャッタ羽根が開閉する前に絞りを切り替えるようにしている。
【０００５】
また、後者公報記載のレンズ付きフイルムユニットでは、ストロボスイッチを日中撮影モード、日中ストロボ撮影モード、及び室内・夜間撮影モードとの３つのモード位置に択一的にセット可能に設け、日中撮影モードでは小絞り開口を撮影光軸上にセットしかつストロボ発光を禁止し、また、日中ストロボ撮影モードでは小絞り開口を撮影光軸上にセットしかつストロボ発光を行い、さらに、室内・夜間撮影モードでは小絞り板を光軸上から退避して固定である大絞り開口を用いかつストロボ発光を行うように、各モード位置へのストロボスイッチの操作に連動してストロボ装置と絞り切替機構との作動を制御している。
【０００６】
ところで、最近では収差補正に有利である点から、撮影レンズとして２群２枚構成のものが主に用いられる。２群２枚構成の撮影レンズを持つタイプでは、小絞り板を隣り合うレンズ間に挿入する絞り切替機構が特願２００１−３３８５１２号などに提案されている。
【０００７】
上記絞り切替装置は、被写体側から順に配される前レンズ、フレアストッパ、スペーサ、後レンズ、及び固定絞り板のうちのスペーサに小絞り板の移動路を確保するための切り欠き部を設け、スペーサの厚み内のスペースに小絞り板を挿入している。そして、挿入したときにレンズ面との干渉を防ぐために後レンズの前面に円環状のリブを突出して設け、フレアストッパの後面とリブとで小絞り板の撮影光軸方向での保持を行っている。
【０００８】
【発明が解決しようとする課題】
しかしながら、小絞り板の撮影光軸方向での保持を行うために、後レンズの前面に円環状の高いリブが必要であるため、撮影レンズの成形上好ましくない。また、小絞り板はスペーサの厚みの範囲内で光軸方向に移動してしまうため、安定した高画質を得難い面がある。
【０００９】
本発明は、上記問題点を解決するためのもので、レンズ成型性に制約がなく、また、安定した切替が行えるように工夫した絞り切替装置を提供することを目的とする。
【００１０】
【課題を解決するための手段】
上記問題点を解決するために、本発明の絞り切替装置では、撮影レンズを構成する２枚のレンズ間に、開放絞り開口と同じか又はそれよりも大きい開口をもつ略馬蹄形のスペーサと開放絞り開口をもつ絞り板とを配し、これらの厚みでレンズ間隔を一定に保つとともに、前記スペーサに一段凹んだ凹部を形成して小絞り開口をもつ絞り切替板を前記凹部に出入りさせて絞りを切り替えるようにしたものである。これによれば、絞り切替板を凹部の凹みスペースで出入りさせることができるとともに、凹部の面で絞り切替板の光軸方向の振れを防止することができる。
【００１１】
また、前記スペーサに開放絞り開口を形成してスペーサのみの厚みでレンズ間隔を一定に保つように構成してもよい。この場合には、スペーサに、撮影光軸を中心とする周方向の一部を開放した凹部を形成し、この凹部に絞り切替板を出入りさせる。
【００１２】
また、２枚のレンズからなる撮影レンズとその背後に配したシャッタ機構等の撮影機構を備えたユニット本体に予め写真フイルムを内蔵したレンズ付きフイルムユニットに前述した絞り切替装置を内蔵させてもよい。この場合、物体側が凸面となるメニスカスレンズ、スペーサ、絞り板、及び両面凸レンズを物体側から順に配し、スペーサの物体側の面に凹部を形成するのが好適である。これによれば、メニスカスレンズに絞り切替板が摺動する恐れも少ないし、どちらのレンズにも成型する上での制約が生じることがない。
【００１３】
絞り切替板を、一端が軸着され他端に小絞り開口を形成した略Ｖ字状のレバーとし、そのレバーの屈曲部から他端までの一腕部を、絞り切替板の回転軸を中心とする円弧に沿って移動して凹部に出入りさせるようにすると、凹部の開放スペースを少なくすることができ、防塵性や遮光性が向上する。なお、絞り切替板としては、小絞り開口を形成した板を直進的にスライド移動する構成としてもよい。
【００１４】
【発明の実施の形態】
本発明を実施したレンズ付きフイルムユニットは、図１に示すように、各種撮影機構が組み込まれたユニット本体３と、このユニット本体３の製造時に装填されるフイルムパトローネと、ユニット本体３の外周に巻き付けられるようにして貼付されるラベル４とからなる。ラベル４には、ユニット本体３の各部を露呈させるための開口が形成されている。
【００１５】
ユニット本体３の前面には、撮影レンズ５、ファインダ６、ストロボ発光部７、撮影モード選択部８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１６】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、図２に示すように、第１操作位置から上方に向けてスライドされた第２操作位置と、図３に示すように、第２操作位置から図中時計方向に回動される第３操作位置との間で移動自在とされている。
【００１７】
レンズ付きフイルムユニット２は、操作部材１５が第１操作位置にある際に、ストロボＯＦＦ及び小絞り及び高速シャッタの日中撮影モード（第１撮影モード）となる。また、操作部材１５が第２操作位置にある際には、ストロボＯＮ及び小絞り及び高速シャッタの日中シンクロ撮影モード（第２撮影モード）となる。この第２撮影モードでは、レンズ付きフイルムユニット２の上面からシグナル部材１７が突出される。このシグナル部材１７はライトガイドであり、ストロボ充電の完了時に発光する発光素子の光をユニット本体３の外部にガイドして、撮影準備が完了したことを知らせる。
【００１８】
操作部材１５が第３操作位置にある際には、ストロボＯＮ及び大絞り及び低速シャッタの夜間シンクロ撮影モード（第３撮影モード）となる。この第３撮影モードでは、ストロボ発光部７の前方に減光部材１９が挿入され、ストロボ光量の減光が図られる。また、ファインダ６の前方には、円板状の指標板２０が配置される。この指標板２０は、ファインダ６内で視認されることにより、レンズ付きフイルムユニット２が第３撮影モードにあることを撮影者に知らせる。
【００１９】
ユニット本体３は、図４に示すように、１３５タイプのフイルムパトローネ２２が装填される本体基部２３、巻上げノブ１２、露光ユニット２４、絞り切替機構２５、ストロボユニット２６、モード切替機構２７、本体基部２３の前面側及び背面側に取り付けられる前カバー２８、及び後カバー２９とからなる。
【００２０】
ストロボユニット２６は、各種電気部品が取り付けられてストロボ回路が形成されたプリント基板３０、放電管やリフレクタ、拡散板等からなるストロボ発光部７、シンクロスイッチ３１、充電スイッチ３２、及び内蔵電池３３等から構成されている。
【００２１】
露光ユニット２４は本体基部１３に形成したアパーチャの前面に取り付けられており、シャッタ機構、フイルム巻止機構、フイルムカウント機構、シャッタ速度切替機構、撮影光学系、絞り切替機構２５、及びファインダ光学系等が暗箱部材に一体的に組み込まれている。
【００２２】
モード切替機構２７には、操作部材１５の操作に連動して減光部材１９と指標板２０とをストロボ発光部７とファインダ６との前面に挿脱する挿脱機構、操作部材１５の操作に連動してストロボユニット２６の充電スイッチ３２をＯＮするストロボ充電開始機構、及び操作部材１５の第１及び第２操作位置への操作に連動して絞り切替機構２５を作動させる切替板３４とを備えている。
【００２３】
撮影レンズ５は、図５に示すように、前・後レンズ３６，３７との２群２枚の構成となっている。前レンズ３６は物体側が凸面のメニスカスレンズとなっており、また後レンズ３７は両面凸レンズとなっている。これらレンズ３６，３７の間隔は、被写体側から順に配されるスペーサ３８と固定な開放絞り開口３９ａを形成した絞り板３９とで保たれている。これら前・後レンズ３６，３７、スペーサ３８，及び絞り板３９は、シャッタカバー４０の前面に設けられたレンズ受け筒４１の内部に挿入され、撮影光軸５ａの前方からシャッタカバー４０に取り付けられるレンズホルダ４２によって抜け止めされる。
【００２４】
シャッタ羽根４３は、周知の蹴飛ばしタイプとなっており、シャッタチャージ機構を構成するシャッタ駆動レバー４４がチャージ位置から走行完了位置に向けて回転する間にシャッタ羽根４３の一端４３ａを蹴飛ばし、撮影光軸５ａを横切るように一往復動してシャッタ開口４５を開閉する。なお、符号４６は、戻しバネである。この開閉中にシャッタ羽根４３に設けたシンクロ突起４３ｂがシンクロスイッチ３１をＯＮする。
【００２５】
シンクロスイッチ３１は、弾性自在な２つの金属片３１ａ，３１ｂを所定間隔離して保持した構成となっており、上方の金属片３１ａがシンクロ突起４３ｂで押圧されて弾性変形して下方の金属片３１ｂに接触することで、ストロボユニット２６にシンクロ信号を送る。また、上方の金属片３１ａの接触により下方の金属片３１ｂも弾性変形する。
【００２６】
絞り切替機構２５は、切替リング４７、絞り切替板４８、及びバネ４９とから構成されている。絞り切替板４８はＶ字状のレバーとなっており、一端４８ａがシャッタカバー４０に軸着され、他端４８ｂには開放絞り開口３９ａよりも径の小さい小絞り開口４８ｃが形成されている。そして、Ｖ字状のレバーの屈曲部４８ｄと一端４８ａとの間には切替リング４７に設けた被係合部４７ａに係合する係合部４８ｅが設けられている。切替リング４７は、レンズ受け筒４１の外周に回転自在に取り付けられており、切替板３４の一端３４ａに係合して絞り切替板４８の小絞り開口４８ｃを撮影光軸５ａ上に挿入する挿入位置と、小絞り開口４８ｃを撮影光軸５ａ上から退避する退避位置との間で回転する。バネ４９は、切替リング４７を挿入位置に向けて付勢している。
【００２７】
シャッタ速度切替機構は、切替リング４７、ストップレバー５０、及びシンクロスイッチ３１で構成されている。ストップレバー５０は、一端５０ａが切替リング４７に係合しており、切替リング４７が退避位置のときに他端５０ｂがシンクロスイッチ３１の下方の金属片３１ｂの下に入り込んで下方の金属片３１ｂが弾性変形するのを阻止する高速シャッタ位置と、他端５０ｂが下方の金属片３１ｂの弾性変形範囲から退避して下方の金属片３１ｂの弾性変形を許容する低速シャッタ位置との間で回転する。高速シャッタ位置では、他端５０ｂが下方の金属片３１ｂの弾性変形を阻止するため、シャッタ羽根４３の復動が途中で阻止され、よってシャッタ羽根４３が短時間で閉じ位置に復帰する。
【００２８】
図６に示すように、スペーサ３８の前面には、一段凹んだ凹部３８ａが形成されている。凹部３８ａには、開放絞り開口３９ａと同じか又はそれよりも僅かに大きな径の開口３８ｂが形成されており、この開口３８ｂは同じ幅で外周に露呈するように長く切りかかれている。凹部３８ａの周りの肉厚部３８ｃには、一部を切り欠いた切り欠き部３８ｄが形成され、この切り欠き部３８ｄから絞り切替板４８の他端４８ｂが凹部３８ａに進入する。なお、レンズ受け筒４１にも、絞り切替板４８の他端４８ｂが進入する切り欠き部４１ａ（図５参照）が形成されている。前述したように馬蹄形をしたスペーサ３８は、切り欠き部４１ａに切り欠き部３８ｄが合うようにレンズ受け筒４１に挿入される。
【００２９】
絞り切替板４８は、凹部３８ａの凹み長さよりも薄い厚みとなっており、凹部３８ａの凹み分のスペースでかつ撮影光軸５ａに直交する面内で摺動する。このようにスペーサ３８に凹部３８ａを形成し、凹部３８ａと前レンズ３６の後面との間のスペース内で絞り切替板４８を揺動させるようにしている。そして、前レンズ３６は、物体側が凸面のメニスカスレンズとなっているから、後面が絞り切替板４８に接触してレンズ面を傷付けることがない。
【００３０】
また、絞り切替板４８のうちの屈曲部４８ｄから他端４８ｂまでの腕部を、絞り切替板４８の回転軸を中心とする円弧に沿った形状で形成しているから、切り欠き部３８ｄの切り欠きスペースを少なくすることができる。なお、開口３８ｂの開放側には、他端４８ｂが凹部３８ａから開口３８ｂの中に脱落するのを防止するために内々側に向けて突出した突出部３８ｅ，３８ｆが形成されている。
【００３１】
一般的に、レンズの外周には、金型のパーティングラインに沿ってバリが発生する。また、図７に示すように、２枚のレンズ３６，３７を挿入するためにレンズ受け筒４１の内部を深く形成する必要がある。このような深い穴は、金型成型する上で抜けが悪くかじり傷が付いたりする不都合が生じる。そこで、２つのレンズ３６，３７の径を変えている。
【００３２】
レンズ受け筒４１の内部を、後レンズ３７の径に合わせた小径穴部５４と前レンズ３６の径に合わせた大径穴部５１とで構成している。また、本実施形態では、レンズ３６，３７の外周のうちの撮影光軸５ａの前方の縁にバリが生じるように金型を構成している。そして、小径穴部５４と大径穴部５１との開口縁に、各レンズ３６，３７を組み込み易くするために、またレンズ３６，３７の外周前縁に生じるバリを逃がす空間を確保するためにテーパ面５２，５６をそれぞれ形成している。なお符号５５は、レンズ受け筒４１の底に設けた露光用開口である。また、絞り板３９とスペーサ３８とは、大径穴部５１に嵌合する径となっている。
【００３３】
前・後レンズ３６，３７との直径差を大きくすると、小径穴部５４と大径穴部５１との内径差が大きくなり、これに伴ってレンズ受け筒４１の肉厚部５３の肉厚が均一にならず、肉厚差が小さい部位では成型時の樹脂の流動性を低下し、また大きい部位ではヒケが生じる不都合となる。逆に前・後レンズ３６，３７との直径差を小さくするとテーパ面５２，５６が取れないため、バリを吸収することができない。このため、前・後レンズ３６，３７との直径差を０．２〜０．５ｍｍ、好ましくは０．５ｍｍとするのが好適である。
【００３４】
次に上記構成の作用を説明する。図１に示すように、レンズ付きフイルムユニット２の初期状態は、操作部材１５が操作開口１４の下方の第１操作位置にセットされ日中撮影モードが選択されている。
【００３５】
この日中撮影モードでは、切替リング４７がバネ４９に付勢されてストッパ５６に当接する挿入位置にある。切替リング４７が挿入位置にある時には、絞り切替板４８の他端４８ｂが凹部３８ａに入り込み、撮影光軸５ａ上に小絞り開口４８ｃがセットされている。また、ストップレバー５０が高速シャッタ位置にセットされている。
【００３６】
また、日中撮影モードでは、ストロボユニット２６の充電スイッチ３２がＯＮされておらず、シグナル部材１７はユニット本体３の上面から突出されていない。さらに、日中撮影モードでは、減光部材１９と指標板２０はレンズ付きフイルムユニット２の前面に露呈されない。
【００３７】
日中撮影モードで撮影を行うと、ストロボ発光は行われない。また、絞りの状態は小絞り状態であり、また、ストップレバー５０が高速位置にあるためシャッタ羽根４３の回動が途中で阻止され、シャッタ速度が速くなる。これにより、輝度の高い日中屋外での撮影に適した露出で撮影を行うことができる。
【００３８】
撮影モード選択部８の操作部材１５が操作開口１４の上方の第２操作位置にスライドされると、図２に示すように、レンズ付きフイルムユニット２は日中シンクロ撮影モードにセットされる。
【００３９】
日中シンクロ撮影モードにおいても、切替リング４７は挿入位置に維持される。そのため、日中撮影モードと同様に、小絞り状態及び高速シャッタ状態となる。そして、日中シンクロ撮影モードでは、ストロボユニット２６の充電スイッチ３２がＯＮし、ストロボユニット２６でストロボ充電が行われる。また、シグナル部材１７がユニット本体３の上面から突出する。ストロボ充電が完了すると、ストロボユニット３６に設けられた発光素子が点灯または点滅し、この発光素子の光は、シグナル部材１７にライトガイドされて外部に表示される。なお、日中シンクロ撮影モードでも、減光部材１９と指標板２０との非表示状態が維持される。
【００４０】
日中シンクロ撮影モードで撮影を行うと、ストロボ発光が行われる。また、小絞り状態及び高速シャッタ状態であるため、輝度の高い日中屋外でのシンクロ撮影に適した露出で撮影を行うことができる。
【００４１】
撮影モード選択部８の操作部材１５が第２操作位置から第３操作位置に回転すると、レンズ付きフイルムユニット２は夜間シンクロ撮影モードにセットされる。
【００４２】
夜間シンクロ撮影モードでは、切替リング４７が退避位置に回転する。これにより、絞り切替板４８が回転し、他端４８ｂに設けた小絞り開口４８ｃが撮影光軸５ａ上から退避する。このとき、他端４８ｂは、凹部３８ａから完全には抜け出ず、背後の開放絞り開口３９ａを覆わない位置でかつ突出部３８ｅ，３８ｆに接触した状態で止まっている。
【００４３】
また、ストップレバー５０は低速シャッタ位置にセットされる。さらに、夜間シンクロ撮影モードでは、シグナル部材１７が突出した状態に維持され、ストロボユニット２６の充電スイッチ３２もＯＮ状態が維持される。そして、減光部材１９がストロボ発光部７の前方に挿入され、指標板２０がファインダ６の前に挿入される。これにより、撮影者がファインダ６を覗いた時に、夜間シンクロ撮影モードにあることが分かる。
【００４４】
夜間シンクロ撮影モードで撮影を行うと、ストロボ発光が行われるが、減光部材１９によってストロボ光が遮られるため、ストロボ光量は小さくなる。また、大絞り及び低速シャッタ状態となるため、被写体の周辺光の取り込み量が増加する。これにより、夜間や屋内での撮影でも、露光オーバーを発生させることなく、被写体と被写体の周辺画像とをバランスよく撮影することができる。
【００４５】
なお、上記実施形態では、レンズ付きフイルムユニットに絞り切替機構を内蔵した例として説明しているが、レンズ付きフイルムユニットの代わりに、銀塩カメラや電子スチルカメラなどにも適用することができる。また、撮影レンズを２枚構成としてるが、これに限らず、３枚以上で構成し、隣り合うレンズ間に絞り切替板を挿脱してもよい。
【００４６】
また、モード切替操作部材の選択操作に連動して絞り切替を行っているが、代わりに、測光機構を設けて測光機構で測光した被写体輝度に基づいて絞りを切り替えるように構成してもよい。
【００４７】
さらに、絞り板３９を省略し、スペーサ３８のみでレンズ間隔を保つように構成し、図８に示すように、スペーサ３８の凹部３８ａに開放絞りとなる固定な絞り開口６０を形成してもよい。これによれば、さらに部品点数を削減でき、また、小絞り開口と開放絞りとの撮影光軸方向での位置をさらに接近して配することができる。
【００４８】
【発明の効果】
以上説明したように、本発明では、２枚のレンズ間隔を一定に保つ馬蹄径のスペーサに凹部を設けてその凹部のスペース内で絞り切替板を出入りさせるようにしたから、絞り切替板がレンズに当たる恐れを極力防止することができる。また、凹部を絞り切替板の移動路としたから、絞り切替板の撮影光軸方向への振れを抑えることができ、よって画質劣化を防ぐことができる。さらに、開放絞り開口を有するスペーサのみでレンズ間隔を一定に保つ構成の発明では、絞り切替板用の受け面をもった部材を別に設ける必要がなく、部品点数の削減とともに組立作業の効率化を達成することができる。
【図面の簡単な説明】
【図１】本発明の一実施形態を用いたレンズ付きフイルムユニットの日中撮影モードの状態を示す外観斜視図である。
【図２】レンズ付きフイルムユニットの日中シンクロ撮影モードの状態を示す外観斜視図である。
【図３】レンズ付きフイルムユニットの夜間シンクロ撮影モードの状態を示す外観斜視図である。
【図４】レンズ付きフイルムユニットの構成を示す分解斜視図である。
【図５】絞り及びシャッタ速度切替機構の構成を示す分解斜視図である。
【図６】スペーサと絞り切替板とを示す斜視図である。
【図７】撮影レンズ周りの要部を示す断面図である。
【図８】スペーサに開放絞り開口を設けた他の例を示す要部斜視図である。
【符号の説明】
２　レンズ付きフイルムユニット
３　ユニット本体
５　撮影レンズ
１５　操作部材
２４　露光ユニット
２５　絞り切替機構
３４　切替板
３６　前レンズ
３７　後レンズ
３９　絞り板
３９ａ　開放絞り開口
４７　切替リング
４８　絞り切替板
４８ｃ　小絞り開口
【図１】
2004054037.tif 000003
【図２】
2004054037.tif 000004
【図３】
2004054037.tif 000005
【図４】
2004054037.tif 000006
【図５】
2004054037.tif 000007
【図６】
2004054037.tif 000008
【図７】
2004054037.tif 000009
【図８】
2004054037.tif 000010